(57)【特許請求の範囲】
【請求項１】
ネットワークに接続され、コンテンツを保持する複数のサーバ間において、情報を取得する情報取得方法であって、
コンテンツを保持するサーバ内に、該コンテンツのメタ情報を公開情報として保持する公開情報保持ステップと、
検索したいコンテンツの特徴および属性からなる検索情報を作成する検索情報作成ステップと、
前記ネットワークに接続された他のサーバに対して前記検索情報作成ステップによって作成された前記検索情報を含む検索要求を送信して検索要求を行う検索要求ステップと、
他のサーバから前記検索要求を受信すると、自サーバが保持している前記公開情報に対して前記検索要求に含まれる検索情報を適用して合致しているコンテンツの公開情報を含む応答メッセージを生成し、前記検索要求を送信したサーバに返信する応答メッセージ返信ステップと、
前記応答メッセージを受信して前記応答メッセージに含まれるコンテンツの公開情報に基づいて、コンテンツを取得表示するコンテンツ表示ステップと
を有することを特徴とする情報取得方法。
【請求項２】
前記公開情報は、サーバに保持しているコンテンツの属性情報から抽出された情報と個人情報とから生成することを特徴とする請求項１に記載の情報取得方法。
【請求項３】
前記検索情報は、サーバに保持しているコンテンツの属性情報から抽出された情報から生成することを特徴とする請求項１に記載の情報取得方法。
【発明の詳細な説明】
【０００１】
【発明の属する技術分野】
本発明は、ユーザの趣味嗜好に合致した情報を得るための個人コミュニティ生成方法及びサーバに関するものである。
【０００２】
【従来の技術】
現在、ユーザが自分の趣味嗜好に関する情報を得る方法は、インターネットの検索エンジンでさがす、雑誌を購入する等様々な方法がある。そのような情報取得の方法のうち、ユーザの趣味嗜好と関係のあるメーリングリスト、掲示板等のコミュニティ提供サーバ上に存在するコミュニティに参加するという方法は、そのコミュニティの属性や目的が明確であり、また、ユーザ自身の参加も容易であることから、情報を入手するには便利な方法である。しかし、それらコミュニティへの参加までにユーザがなすべき項目は多い。コミュニティへの参加方法の例を図８に示す。
図８において、５００は、ＰＣ、携帯情報端末等のコミュニティアクセス機器である。５１０は、サーバ等に存在する検索エンジンであり、コミュニティを検索する手段である。５２０は、コミュニティ提供サーバであり、コミュニティを提供する。コミュニティに参加するにあたって、まず、ユーザはコミュニティアクセス機器５００を用いて、検索エンジン５１０を検索する。次に、検索エンジン５１０に紹介されている複数のコミュニティから、ユーザの趣味嗜好をキーワードとして参加を希望するコミュニティを検索する。希望するコミュニティが検索されたら、ユーザは、コミュニティアクセス機器５００を用いてコミュニティ提供サーバ５２０にアクセスし、そのコミュニティの特徴や属性がユーザの趣味嗜好と一致するか確認し、書き込みや申込等をし、参加する意志を示す。
このように、メーリングリストや掲示板等の、コミュニティ提供サーバ上に存在するコミュニティにユーザが参加するまでの手順は煩雑である。
【０００３】
【発明が解決しようとする課題】
この発明は、上述のような事情を鑑みてなされたもので、ユーザの趣味嗜好に合致する個人コミュニティを自動生成し、この個人コミュニティにアクセスすることにより、ユーザの望む情報を得ることができる情報取得方法及びサーバを提供することを目的とする。
【０００４】
【課題を解決するための手段】
上記目的を達成するために、本発明は通信ネットワークに接続され、ユーザの個人情報とコンテンツと該コンテンツに関する情報を記憶しているサーバが、前記通信ネットワークに接続された他の情報機器から情報を取得する情報取得方法において、前記個人情報と前記コンテンツに関する情報から公開情報と検索情報を作成し、前記公開情報及び前記検索情報を記憶手段内に記憶させる第１の処理と、前記他の情報機器へ、前記検索情報が示す特徴に合致するコンテンツの公開情報の検索要求を送信する第２の処理と、前記第２の処理に応答して前記他の情報機器から送信されるコンテンツの公開情報を、前記記憶手段内に記憶させる第３の処理とを具備することを特徴とする情報取得方法である。
【０００５】
また、上記情報取得方法において、前記サーバが定期的に前記検索要求を送信することを特徴とする。
【０００６】
また、上記情報取得方法において、通信ネットワークに接続されている他の情報機器とは１以上の不特定の情報機器のことであり、前記サーバは、前記他の情報機器に前記検索要求を送信し、前記他の情報機器から公開情報を受信した場合、前記他の情報機器の場所を記憶する第４の処理をさらに備え、再度、前記検索要求を送信する場合、前記第２の処理において、前記記憶した場所の情報機器に前記検索要求を送信することを特徴とする。
【０００７】
また、本発明はユーザの個人情報とコンテンツと該コンテンツに関する情報を記憶手段内に記させる第１の手段と、前記個人情報と前記コンテンツに関する情報から公開情報と検索情報を作成し、前記公開情報と前記検索情報を前記記憶手段内に記憶させる第２の手段と、前記検索情報の示す特徴に合致する公開情報の検索要求を、ネットワーク上に存在する他の情報機器に送信する第３の手段と、前記他の情報機器から送信された公開情報を受信する第４の手段と、前記送信手段によって受信した公開情報を、前記記憶手段内に記憶させる第５の手段とを具備することを特徴とする情報取得サーバである。
【０００８】
また、本発明は通信ネットワークに接続され、ユーザの個人情報とコンテンツと該コンテンツに関する情報を記憶しているサーバが、前記通信ネットワークに接続された他の情報機器から情報を取得する情報取得サーバ用のプログラムであって、コンピュータに、前記個人情報と前記コンテンツに関する情報から公開情報と検索情報を作成し、前記公開情報と前記検索情報を前記記憶手段内に記憶させる第１のステップと、前記検索情報の示す特徴に合致するコンテンツの公開情報の検索要求を、ネットワーク上に存在する他の情報機器に送信するステップと、前記他の情報機器から送信された公開情報を受信するステップと、前記送信された情報を、前記記憶手段内に記憶させるステップとを実行させるためのプログラムである。
【０００９】
また、本発明は通信ネットワークに接続され、ユーザの個人情報とコンテンツと該コンテンツに関する情報を記憶しているサーバが、前記通信ネットワークに接続された他の情報機器から情報を取得する情報取得サーバ用のプログラムであって、コンピュータに、前記個人情報と前記コンテンツに関する情報から公開情報と検索情報を作成し、前記公開情報と前記検索情報を前記記憶手段内に記憶させる第１のステップと、前記検索情報の示す特徴に合致するコンテンツの公開情報の検索要求を、ネットワーク上に存在する他の情報機器に送信するステップと、前記他の情報機器から送信された公開情報を受信するステップと、前記送信された情報を、前記記憶手段内に記憶させるステップとを実行させるためのプログラムを記録したコンピュータ読み取り可能な記録媒体である。
【００１０】
【発明の実施の形態】
まず、本発明の概要を図９、図１０を参照して説明する。
図９に示すように、ユーザのホームネットワーク５１はＰＣ（パーソナルコンピュータ）、オーディオ機器等から構成され、それらはホームサーバ１０と接続されている。ホームサーバ１０はデータを記録するハードディスク等のデータ貯蔵庫１１を接続し、プロバイダサーバ等（図示略）を介してインターネット５０と接続する。また、ユーザはインターネット５０にアクセスできる機能を持つデジタルカメラ、カーナビゲーションシステム、携帯情報端末等を有しており、それらはインターネット５０を介してホームサーバ１０と接続されている。
なお、ここでいうインターネットとは通信ネットワークのことをさす。
【００１１】
ユーザは予め、ユーザの氏名、年齢、趣味等の個人情報をサーバ１０に入力している。サーバ１０は入力された個人情報をメタ情報に変換して記録する。今、例えば、ユーザはデジタルカメラを利用して観光地等を撮影し、その画像をインターネットを介してホームサーバ１０に送信する。ホームサーバ１０は受信した画像をデータ貯蔵庫１１に格納し、さらに、ユーザから入力等された撮影日時や場所等の撮影データ等コンテンツに関するメタ情報を記録する。このように、ホームサーバ１０は、ユーザが趣味嗜好で集めた音楽、画像、映像、テキスト等のコンテンツをデータ貯蔵庫１１に記録し、さらに、その音楽、画像、映像、テキスト等のコンテンツに関するメタ情報を記録する。
ホームサーバ１０はユーザにより入力された個人情報等と上述のコンテンツに関するメタ情報から、コンテンツの公開情報（メタ情報）と、そのコンテンツの特徴、属性を示す検索情報（メタ情報）を作成する。ユーザはＰＣや携帯情報端末等を用いてホームサーバ１０にアクセスすることで、公開情報に記述された音楽や画像等のコンテンツにアクセスすることが可能になる。
【００１２】
図１０に示すように、インターネット５０上には、ホームサーバ１０の他に、他のユーザが趣味嗜好で集めた音楽、画像、映像、テキスト等のコンテンツとその公開情報を記録しているサーバ３５、サーバ３６、サーバ３７が存在する。サーバ１０は、検索情報を検索キーとして、サーバ３５、サーバ３６、サーバ３６にアクセスし、コンテンツの特徴、属性を検索させる。各サーバは自身を検索し、検索情報と特徴、属性の一致するコンテンツの公開情報を発見した場合、その公開情報をホームサーバ１０に返し、ホームサーバ１０は返された公開情報を自身が記録している公開情報に追記等して統合し、記憶する。ユーザはＰＣや携帯情報端末等を用いてサーバ１０にアクセスすることで、ユーザ自身が記録させた公開情報に記載されている音楽や画像等のコンテンツ以外に、他のサーバから返された公開情報に記述されているコンテンツを見ることができる
【００１３】
次に、本発明の一実施形態を図面を参照して詳細に説明する。
図１は、一実施形態の構成を示す図である。１はＡ氏のデジタルカメラであり、インターネット５０にアクセスできる機能を持つ。２は、Ａ氏の携帯情報端末（ＰＤＡ）である。１０は、Ａ氏のホームサーバであり、Ａ氏の趣味嗜好をＢ氏に公開する公開情報を記憶する。１１は、ハードディスク等のデータ格納庫であり、サーバ１０に接続し、映像、画像、音楽、テキスト等のコンテンツを格納する。１２は、Ｂ氏のホームサーバであり、Ｂ氏が趣味嗜好であつめた映像、画像、テキスト等のコンテンツを記憶し、さらにその公開情報をハードディスク等に記憶している。デジタルカメラ１、携帯情報端末２、サーバ１０、サーバ１２は各々プロバイダサーバ等（図示略）を介してインターネット５０に接続している。
【００１４】
図２において、Ａ氏は、携帯情報端末２上でソフトを起動する等して、以下に一例を示す個人情報を入力する。
・氏名（属性＝非公開）
・年代（３０代）
・年齢（属性＝非公開）
・趣味（旅行）
携帯情報端末２は、入力された上記個人情報を、ＸＭＬ（Extensible Markup Language）を用いてメタ情報１００ａ（テキストデータ）に変換する。その際、氏名、年齢等公開したくない個人情報は、タグでその属性を非公開とする。次に、携帯情報端末２は、インターネット５０を介してメタ情報１００ａを含む送信データ１００を、ホームサーバ１０に送信する。
送信データ１００を受信したサーバ１０は、サーバ１０内部のハードディスク等にメタ情報１００ａを記録する。
【００１５】
データ格納庫１１はＡ氏が趣味で集めた映像、画像、テキスト等のコンテンツを格納している。例えば、図３に示すように、Ａ氏はデジタルカメラ１を用いて旅行先のローマで風景を撮影し、デジタルカメラ１に外部インターフェイスを接続する等して撮影場所等の撮影データと、画像とその撮影データからなるコンテンツの属性（ここでは「旅行」）を入力する。デジタルカメラ１は、Ａ氏の入力したデータと撮影時の日時等から、以下に一例を示す画像データのメタ情報１０１ａを、ＸＭＬを用いて作成する。
・属性（旅行）
・西暦（１９９９）
・月日（８月１５日）
・地域（ヨーロッパ）
・都市（ローマ）
・ファイル名（rome-tour.jpg）
なお、上記ファイル名とは、撮影した画像データのファイル名であり、Ａ氏あるいはデジタルカメラ１が付ける。次に、デジタルカメラ１は、メタ情報１０１ａと、撮影した画像データ１０１ｂとを送信データ１０１として、インターネット５０を介してサーバ１０へ送信する。
【００１６】
送信データ１０１を受信したサーバ１０は、画像データ１０１ｂをデータ格納庫１１に格納する。また、メタ情報１０１ａのファイル名「rome-tour.jpg」を、URI(Universal Resource Identifier)に書き換え「http//yamada/rome-tour.jpg」とする。この書き換えたメタ情報を１０２ａとする。サーバ１０はサーバ内部のハードディスク等にメタ情報１０２ａを格納する。
このようにサーバ１０は、カーナビゲーションシステム、インターネット、デジタルカメラ等からＡ氏が趣味嗜好で集めた画像、映像、音楽、テキスト等のコンテンツをデータ格納庫１１に記録し、そのコンテンツの属性を含むメタ情報をサーバ１０内部のハードディスク等に保管している。
なお上述の撮影画像はサーバ１０に送信するのではなく直接サーバ１０を介してデータ貯蔵庫１１に格納してもよく、また、個人情報や撮影データのメタ情報変換という過程は、デジタルカメラ１や携帯情報端末２を用いるのではなくサーバ１０で行なってもよい。
【００１７】
サーバ１０はサーバ内部に格納された個人情報のメタ情報とコンテンツのメタ情報から公開情報と検索情報を作成する。本実施形態では、図４に示すように、メタ情報１００ａとメタ情報１０２ａから、趣味（旅行）という属性の公開情報１１０ａ（テキストデータ）と、その検索情報１２０ａ（テキストデータ）を作成する。公開情報１１０ａとは、インターネットを利用する他の人（ここではＢ氏）に、Ａ氏の趣味嗜好で集めたコンテンツを公開するためのメタ情報である。ここでは、公開情報１１０ａを以下の内容で公開している。
・年代（３０代）
・趣味（旅行）
・西暦（１９９９）
・月日（８月１５日）
・地域（ヨーロッパ）
・都市（ローマ）
・ファイル名（http//yamada/rome-tour.jpg）
また、検索情報１２０ａとは、上記公開情報１１０ａと特徴、属性の一致する他の公開情報をインターネット上で検索するためのキーとなるメタ情報である。本実施形態では、検索情報１２０ａは以下の条件と一致する公開情報を検索する。
・年代（３０代）
・趣味（旅行）
・西暦（１９９９）
・場所（ヨーロッパ）
なお、公開情報１１０ａと検索情報１２０ａには、タグで非公開という属性にされたデータ（Ａ氏の氏名、年齢等）は含まれない。
Ａ氏は、デジタルカメラ１で撮影したローマの映像や、撮影場所、撮影時間等の公開情報１１０ａに記載されている情報を、サーバ１０にアクセスした携帯情報端末２等で見ることができる。
【００１８】
図５、６を参照して本実施形態における動作を説明する。サーバ１０は一定期間毎にプロバイダサーバ等を介してインターネット５０へ接続し、サーバ１２に検索要求メッセージ１２０を送信する（図５における▲１▼）。検索メッセージには検索情報１２０ａが含まれる。検索要求メッセージ１２０を受けたサーバ１２は、検索情報１２０ａをキーとして、サーバ１２内部のハードディスク等に記録しているＢ氏の公開情報を検索する（図５における▲２▼）。その結果、年代（３０代）、趣味（旅行）、日付（１９９９）、場所（ヨーロッパ）という検索情報１２０ａの条件と合致するＢ氏の公開情報１５０ａ（テキストデータ）を検出する。公開情報１５０ａには、年代（３０代）、趣味（旅行）、西暦（１９９９）、場所（ヨーロッパ）という検索情報１２０ａと一致するデータの他に、Ｂ氏の撮影した画像データのファイル名（http//suzuki/neples-tour.jpg）と、その撮影場所である都市（ナポリ）という情報が記述されている。
【００１９】
次に、サーバ１３は、公開情報１５０ａと検索情報１２０ａより応答情報１２５ａ(テキストデータ)を生成し、検索応答メッセージ１２５に含めてサーバ１０に送信する（図５における▲３▼）。この応答情報１２５ａには、検索情報１２０ａに記述されている、年代（３０代）、趣味（旅行）、西暦（１９９９）、場所（ヨーロッパ）という情報の他に、公開情報１５０ａに記述されている、都市（ナポリ）、ファイル名（http//~suzuki/naples-tour.jpg）という情報が追加されている。サーバ１０は、応答メッセージ１２５を受けると、応答情報１２５ａをサーバ内に格納する。
サーバ１０はサーバ内に格納した公開情報１１０ａに、応答情報１２５ａを加え、新たな公開情報１３０ａ（メタ情報）を生成する（図６における▲４▼）。この公開情報１３０ａには、公開情報１１０ａに記述されていた年代（３０代）、趣味（旅行）、西暦（１９９９）、月日（８月１５日）、地域（ヨーロッパ）、都市（ローマ）、ファイル名（http//yamada/rome-tour.jpg）というメタ情報の他に、応答情報１２５ａに記述されていた都市（ナポリ）、ファイル名（http//~suzuki/neples-tour.jpg）というメタ情報が追加されている。Ａ氏は、携帯情報端末２を用いてサーバ１０にアクセスすることで、デジタルカメラ１で撮影したローマの映像、その映像の撮影場所、撮影時間に加え、Ｂ氏が撮影したナポリの映像、その映像の撮影場所、撮影時間等を見ることができる。
【００２０】
なお、上述の実施形態において、検索要求を受けて公開情報を検索するサーバ１２は、サーバ１０がインターネット上に散在するサーバを検索して決める必要がある。以下に、検索すべきサーバを特定する実施形態を説明する。
図７を用いて公開情報を検索するべきサーバを特定する一実施形態を説明する。
サーバ１０はＡ氏の管理するサーバであり、Ａ氏の公開情報１１０ａを記録し、他のサーバから要求があればその公開情報１１０ａを公開している。サーバ１５、サーバ１６、サーバ１７、サーバ１８、サーバ１９、サーバ２０は、インターネット上に散在するサーバであり、それらは各々プロバイダや個人によって管理され、単数または複数の映像、画像等のコンテンツとその公開情報を記録し、他サーバから要求があれば公開情報を公開している。
サーバ１０は、一定時間毎に単数または複数のサーバに対し公開情報の検索を行うが、ここでは、公開情報の検索を１時間ごとに行い、そのとき検索するサーバ数を２とする。
【００２１】
次に同実施形態における動作を説明する。今、例えば、サーバ１０はプロバイダサーバ等を介してサーバ１５、サーバ１６、サーバ１８と接続しているものとする。サーバ１０は、無作為に選択したサーバ１５に対して検索情報１２０ａを含んだ検索要求メッセージ１２０を送信する。サーバ１５は、検索情報１２０ａをキーとして公開情報を検索させる（図７における▲１▼）。また、一度の検索で検索するサーバ数は２であるため、サーバ１０は、サーバ１５に接続されているサーバ１６に対しても検索要求メッセージ１２０を送信し、公開情報を検索させる（図７における▲２▼）。その結果、サーバ１６に検索情報１２０ａと合致する公開情報が検出されたので、サーバ１６は検索情報１２０ａに検出した公開情報を追記等して応答情報を作成し、サーバ１０へ送信する。サーバ１０はサーバ１６の場所を記憶しておき、サーバ１０からサーバ１５への接続を、サーバ１０からサーバ１６への接続へと張り替える。
コンテンツ検索間隔である１時間が経過すると、サーバ１０は次の検索を実行する。まず、前回の検索の結果その場所を記憶したサーバ１６に対し検索要求メッセージ１２０を送信し、検索情報１２０ａと合致する公開情報を検索させる（図７における▲３▼）。次に、サーバ１６に接続されているサーバ１７に対しても検索要求メッセージ１２０を送信し、公開情報を検索させる（図７における▲４▼）。
【００２２】
なお、サーバ１０はサービスプロバイダの管理するサーバであり、上述の公開情報の生成、他の公開情報の検索、公開情報の統合というプロセスは、プロバイダサービスの一つであってもよい。この実施形態の構成を図１１に示す。デジタルカメラ、インターネット、カーナビゲーションシステムから得たコンテンツとそのコンテンツに関するメタ情報はサービスプロバイダの管理するサーバやデータ貯蔵庫に記録される。そして、サービスプロバイダの管理するサーバは、上述のように公開情報の生成、他の公開情報の検索、公開情報の統合を行なう。
【００２３】
また、図１におけるサーバ１０の機能を実現するためのプログラムをコンピュータ読み取り可能な記録媒体に記録して、この記録媒体に記録されたプログラムをコンピュータシステムに読み込ませ、実行させることによりサーバ１０の機能を実現させてもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態を図面を参照して詳述してきたが、具体的な構成はこの実施形態に限られるものではなく、この発明の要旨を逸脱しない範囲の設計変更等も含まれる。
【００２４】
【発明の効果】
以上説明したように、本発明によれば、ネットワークに接続され、コンテンツを保持する複数のサーバ間において、情報を取得する情報取得方法であって、コンテンツを保持するサーバ内に、該コンテンツのメタ情報を公開情報として保持する公開情報保持ステップと、検索したいコンテンツの特徴および属性からなる検索情報を作成する検索情報作成ステップと、前記ネットワークに接続された他のサーバに対して前記検索情報作成ステップによって作成された前記検索情報を含む検索要求を送信して検索要求を行う検索要求ステップと、他のサーバから前記検索要求を受信すると、自サーバが保持している前記公開情報に対して前記検索要求に含まれる検索情報を適用して合致しているコンテンツの公開情報を含む応答メッセージを生成し、前記検索要求を送信したサーバに返信する応答メッセージ返信ステップと、前記応答メッセージを受信して前記応答メッセージに含まれるコンテンツの公開情報に基づいて、コンテンツを取得表示するコンテンツ表示ステップとを有するようにしたため、個人の意思により形成された情報集合体に近い情報を、ネットワークに接続可能な他の情報集合体から検索し、検出された他の情報集合体を個人の情報集合体に取り込むことにより、個人の情報集合体を個人専用のコミュニティとして自動的に成長させ、また、個人が必要とする情報のみで形成される情報コミュニティの実現を可能とする。ユーザは上記サーバに形成された個人コミュニティにアクセスすることで、情報を得ることができる。
【図面の簡単な説明】
【図１】  本発明の一実施形態における構成を示す図である。
【図２】  同実施形態において、Ａ氏が個人情報をサーバ１０に記録する説明図である。
【図３】  同実施形態において、Ａ氏の撮影した画像とその撮影データをサーバ１０に記録する説明図である。
【図４】  メタ情報１０２ａとメタ情報１００ａを統合する説明図である。
【図５】  コミュニティを生成する動作の説明図である。
【図６】  コミュニティを生成する動作の説明図である。
【図７】  同実施形態において、公開情報を検索すべきサーバを特定する構成及び動作の説明図である。
【図８】  従来技術の説明図である。
【図９】  本発明の一実施形態の概要を説明する図である。
【図１０】  本発明の一実施形態の概要を説明する図である。
【図１１】  本発明の他の実施形態を説明する図である。
【符号の説明】
１：デジタルカメラ
２：携帯情報端末
１０、１２：サーバ
１１：ハードディスク
１５、１６、１７、１８、１９、２０、３５、３６、３７：サーバ
３０：情報機器
３１：通信機器
５０：インターネット
５１：ホームネットワーク
１００：送信データ
１００ａ：メタ情報
１０１：送信データ
１０１ａ：メタ情報
１０１ｂ：画像データ
１０２ａ：メタ情報
１１０ａ：公開情報
１２０ａ：検索情報
１２５：検索応答メッセージ
１２５ａ：応答情報
１３０ａ：公開情報
１５０ａ：公開情報
５００：コミュニティアクセス機器
５１０：検索エンジン
５２０：コミュニティ検索サーバ
【図１】
0003669283.tif 000002
【図２】
0003669283.tif 000003
【図３】
0003669283.tif 000004
【図４】
0003669283.tif 000005
【図５】
0003669283.tif 000006
【図６】
0003669283.tif 000007
【図７】
0003669283.tif 000008
【図８】
0003669283.tif 000009
【図９】
0003669283.tif 000010
【図１０】
0003669283.tif 000011
【図１１】
0003669283.tif 000012